(57)【要約】【課題】  本発明は、雪などの固体物を簡便に除去及び移送できる動力輪付き作業機を提供することを目的とする。【解決手段】  動力輪付き作業機１０は、駆動源１８を備えた車輪１７と、これら駆動源１８及び車輪１７を支える車体フレーム１５と、この車体フレーム１５の前部に斜めに取付けた棹部材１２と、この棹部材１２の上端１２ｂに取付けたハンドル１３と、路上の雪を掻く若しくは畑の耕土を掻くなどの作業を実施するために棹部材の下端１２ａに設けた作業具１１とからなる。そして、車体フレーム１５に棹部材１２を取付けた支持点１９よりも下位位置において、棹部材１２の中間に若しくは棹部材１２と作業具１１との間に、緩衝装置２１を介設する。この緩衝装置２１のストローク部２２は、車体フレーム１５により覆う構造とし、ストローク部２２に雪が付着し、凍結することの無い位置に配設する。【選択図】      図１
2005299156.tif 000002
【特許請求の範囲】
【請求項１】
駆動源を備えた車輪と、これら駆動源及び車輪を支える車体フレームと、この車体フレームの前部に斜めに取付けた棹部材と、この棹部材の上端に取付けたハンドルと、路上の雪を掻く若しくは畑の耕土を掻くなどの作業を実施するために前記棹部材の下端に設けた作業具とからなることを特徴とする動力輪付き作業機。
【請求項２】
前記棹部材は、前記車体フレームに所定角度の範囲で回転可能に取付けたことを特徴とする請求項１記載の動力輪付き作業機。
【請求項３】
前記車体フレームに前記棹部材を取付けた支持点よりも下位位置において、前記棹部材の中間に若しくは前記棹部材と前記作業具との間に、緩衝装置を介設したことを特徴とする請求項１記載の動力輪付き作業機。
【発明の詳細な説明】
【技術分野】
【０００１】
本発明は、雪などの固体物の除去及び移送を簡便に行える動力輪付き作業機に関する。
【背景技術】
【０００２】
従来、雪掻き具として、スコップやショベルが広く普及している（例えば、特許文献１参照。）。
【特許文献１】特開平９−８８０２８号公報（図１）
【０００３】
特許文献１を次図に基づいて説明する。
図１０は従来の技術の基本構成を説明する図であり、除雪具２００は、雪を掻き取るショベル２０１と、このショベル２０１の先に軸支点２０２を取付けた平面視Ｕ字状のハンドル柄２０３と、このハンドル柄２０３の中間点とショベル２０１の根元との間に掛け渡したアーム２０４を備える。
ハンドル柄２０３はショベル２０１の先に回動自在に接合され、アーム２０４は、ショベル２０１に対するハンドル柄２０３の角度を一定範囲内に規制するために追加した部材である。
【０００４】
除雪中にハンドル柄２０３が上下に変動しても、押し込み成分の力だけをショベル２０１に伝達できるため、ショベル２０１の姿勢は変化しない。また、ショベル２０１に対してハンドル柄２０３の姿勢を変向することができ、除雪作業を楽に行えるというものである。
【０００５】
しかしながら、除雪作業は人手によるため、雪の削り取りや掻き取りを含む除去作業や、ショベル２０１で集めた雪を他の場所に移送する移送作業は、重労作業であることには変わりなく、簡便に除雪できる機械があれば好適である。
【発明の開示】
【発明が解決しようとする課題】
【０００６】
本発明は、雪などの固体物を簡便に除去及び移送できる動力輪付き作業機を提供することを目的とする。
【課題を解決するための手段】
【０００７】
請求項１に係る発明は、動力輪付き作業機は、駆動源を備えた車輪と、これら駆動源及び車輪を支える車体フレームと、この車体フレームの前部に斜めに取付けた棹部材と、この棹部材の上端に取付けたハンドルと、路上の雪を掻く若しくは畑の耕土を掻くなどの作業を実施するために棹部材の下端に設けた作業具とからなることを特徴とする。
【０００８】
作業機の一部を構成する棹部材に車体フレームを取付け、この車体フレームに車輪を設け、この車輪を駆動源により駆動することで作業機に推進力を加えるので、雪などの固体物を削り取り、又は掻き集める力は不要となる。
従って、固体物の削り取り、掘り出し、及び掻き集めなどの固体物の除去作業の負荷を大幅に軽減することができる。
また、この作業機は車輪を有するため、作業具により削り取り、又は掻き集めた固体物を、ハンドルを操作することにより、固体物を容易に移送することができる。
この結果、固体物の除去及び移送に係る負荷を大幅に低減することができる。
【０００９】
請求項２に係る発明は、棹部材は、車体フレームに所定角度の範囲で回転可能に取付けたことを特徴とする。
【００１０】
棹部材は、車体フレームに所定角度の範囲で回転可能に取付けたので、棹部材に取付けた作業具で、前方のみならず斜め前方にある雪などの固体物を容易に削り取り・掻き集めることができる。
この結果、作業性の向上を図ることができる。
【００１１】
請求項３に係る発明は、車体フレームに棹部材を取付けた支持点よりも下位位置において、棹部材の中間に若しくは棹部材と作業具との間に、緩衝装置を介設したことを特徴とする。
【００１２】
棹部材の中間に若しくは棹部材と作業具との間に、緩衝装置を介設したので、路面のうねり、凹凸、異物などにより作業具が受ける衝撃を緩和することができる。
作業具が受ける衝撃は、緩衝装置により緩和されるため、ハンドルにかかる衝撃力を軽減することができる。
ハンドルにかかる衝撃力が軽減するため、ハンドル操作をする作業者の負荷を大幅に低減することができる。
【発明の効果】
【００１３】
請求項１に係る発明では、動力輪付き作業機は、駆動源を備えた車輪と、これら駆動源及び車輪を支える車体フレームと、この車体フレームの前部に斜めに取付けた棹部材と、この棹部材の上端に取付けたハンドルと、棹部材の下端に設けた作業具とから構成したので、固体物の削り取り、掘り出し、及び掻き集めなどの除去作業に係る負荷を大幅に低減することができるという利点がある。
【００１４】
請求項２に係る発明では、棹部材は、車体フレームに所定角度の範囲で回転可能に取付けたので、前方のみならず斜め前方にある雪などの固体物を容易に削り取り・掻き集めることができる。
この結果、作業性の向上を図ることができるという利点がある。
【００１５】
請求項３に係る発明では、棹部材の中間に若しくは棹部材と作業具との間に、緩衝装置を介設したので、作業具が受ける衝撃は、緩衝装置により緩和される。
この結果、ハンドル操作をする作業者の負荷を大幅に低減することができるという利点がある。
【発明を実施するための最良の形態】
【００１６】
本発明を実施するための最良の形態を添付図に基づいて以下に説明する。なお、図面は符号の向きに見るものとする。
図１は本発明に係る動力輪付き作業機の正面図であり、雪、耕土、干し草、枯葉、家畜の排泄物などの固体物を削り若しくは掻く作業具１１と、この作業具１１に取付けた棹部材１２と、この棹部材１２から延設した車体フレーム１５と、この車体フレーム１５の他端１５ｂに取付けた車輪１７と、この車輪１７を駆動するように、車体フレーム１５に搭載した駆動源１８とからなり、この駆動源１８の駆動力により車輪１７を回転させると共に、車輪１７の軸１７ａを中心に作業具１１を前後に傾動可能に構成した動力輪付き作業機１０である。
【００１７】
より詳しく説明すると、作業具１１に棹部材１２の下端１２ａを取付け、この棹部材１２を斜め前方から斜め後方に立上げ、この棹部材１２の上端１２ｂにハンドル１３を取付ける。そして、棹部材１２の下端１２ａと上端１２ｂの中間に車体フレーム１５の一端１５ａを取付け、この車体フレーム１５を斜め後方に延設して構成する部材である。
【００１８】
加えて、車体フレーム１５に棹部材１２を取付けた支持点１９よりも下位位置において、棹部材１２と作業具１１との間に、緩衝装置２１を介設する。
この緩衝装置２１のストローク部２２は、車体フレーム１５により覆う構造とし、ストローク部２２に雪が付着し、凍結することの無い位置に配設する。
【００１９】
棹部材１２と作業具１１との間に、緩衝装置２１を介設したので、路面のうねり、凹凸、異物などにより作業具が受ける衝撃を緩和することができる。
作業具が受ける衝撃は、緩衝装置２１により緩和されるため、ハンドル１３にかかる衝撃力を軽減することができる。
ハンドル１３にかかる衝撃力が軽減するため、ハンドル操作をする作業者Ｐの負荷を大幅に低減することができる。
【００２０】
なお、本実施例において、緩衝装置２１の配設位置は、支持点１９よりも下位位置としたが、下位位置でなくても良い。例えば、棹部材１２の中間に配設しても差し支えない。  加えて、対象となる固体物の種類、作業条件、及びコスト面などを考慮し、緩衝装置２１を省略し、棹部材１２に直接作業具１１を取付けても差し支えない。
図において、２３は駆動源となるエンジン、２４は減速機ユニット、２５は後部チェーン、２６はスクレーパである。なお、駆動源１８は電動モータでも差し支えない。
【００２１】
すなわち、この動力輪付き作業機１０は、駆動源１８を備えた車輪１７と、これら駆動源１８及び車輪１７を支える車体フレーム１５と、この車体フレーム１５の前部に斜めに取付けた棹部材１２と、この棹部材１２の上端１２ｂに取付けたハンドル１３と、路上の雪を掻く若しくは畑の耕土を掻くなどの作業を実施するために棹部材の下端１２ａに設けた作業具１１とからなる。
【００２２】
図２は本発明に係る動力輪付き作業機の平面図であり、前方から後方に向け、作業具１１と、この作業具１１に棹部材１２を取付け、棹部材１２の上端１２ｂに左右にハンドル１３を延ばす。また、棹部材１２から後方にアルミ製の車体フレーム１５を延ばし、このフレーム１５にエンジン２３及び減速機ユニット２４を懸架する。このエンジン２３は前後左右に傾けても性能などに支障が起きないタイプのエンジンを採用する。
【００２３】
３１はブレーキケーブル、３２は変速用ケーブル、３３はスロットルケーブル、３４はチェーンカバーである。
ハンドル１３の左端部に、ブレーキレバー３５及び図示せぬ減速機ユニット切換えスイッチを取付ける。また、ハンドル１３の右端部は、スロットルレバー３６を兼ねる。
【００２４】
車輪１７を構成するタイヤ３７は、ゴム製のスノータイヤが好適である。タイヤの路面へのグリップを高めるため、タイヤに金属片を埋め込んだり、タイヤチェーンなどの滑り止め手段を付加することは差し支えない。
【００２５】
図３は図１の３矢視図であり、本発明の動力輪付き作業機を前方から見た図である。
動力輪付き作業機１０は、路面３９に下辺１１ａを当てるように配置した作業具１１と、この作業具１１から緩衝装置２１（図１参照）を介して上方に延設する棹部材１２と、この棹部材１２の上端１２ｂに左右均等に振り分け延設するハンドル１３と、棹部材１２の途中に、図裏方向に延在させ取付ける車体フレーム１５と、この車体フレーム１５に載置するエンジン２３を備える。
【００２６】
駆動系統は、エンジンの出力軸４１の出力ギヤ４２と、減速機ユニット２４の入力軸４３に取付けた入力ギヤ４４と、入力ギヤ４４と出力ギヤ４２との間に掛け渡した前部チェーン４５を備える。そして、減速機ユニット２４の出力と車輪１７（図２参照）のスプロケット４６との間に掛け渡した後部チェーン２５を備える。３４はチェーンカバーである。
【００２７】
車体フレーム１５の中央に棹部材１２を設け、エンジン２３及び減速機ユニット２４を車体フレーム１５に左右の重量バランスを良く配設し、棹部材１２から左右均等にハンドル１３を振り分けて延設したので、固体物の除去作業及び移送作業において、作業者Ｐは左右のハンドル１３を操作し、動力輪付き作業機１０のバランスを取り易いので、極めて良好な操作性を確保することができる。
この結果、雪の除雪に係る作業者の負担を著しく軽減することができる。
【００２８】
加えて、軽量・コンパクトな構造なので、従来の除雪機やスノードーザーでは入っていけない幅の狭い通路に持ち込んで作業することができるなど機動性に優れる。
さらに、作業具の形状及び材質を自由に選択でき、この作業具にかける力をスロットルレバーにより微妙に調整することができるので、従来の機械式の除雪機では制約の大きかった不整地での除雪や化粧タイルが埋め込んである路面に傷をつけることなく除雪するなどに威力を発揮する。棹部材１２の長さ及びハンドルの長さは任意に設定可能である。
【００２９】
図４は図１の４部拡大図であり、車体フレーム１５と棹部材１２との嵌合部において、棹部材１２側に長穴５１を開け、この長穴５１に連結部材５２を挿通して固定する。次図において、より詳しく説明する。
【００３０】
図５は図４の５−５線断面図であり、棹部材１２側の円筒部５４に対向する一対の断面円弧状の長穴５１、５１を開け、これらの長穴５１、５１に連結部材５２を挿通する。この連結部材５２は、一端に鍔部５２ａを有し、他端に割ピン５５を挿通する割ピン挿通穴５２ｂとを有する部材である。
この連結部材５２を長穴５１に挿通し、連結部材５２の他端にワッシャ５３を通し、このワッシャ５３の外側に鍔部５２ａの外れ防止のため割ピン５５を挿通する。
【００３１】
すなわち、棹部材１２は、車体フレーム１５に所定角度の範囲で回転可能に取付けた。
棹部材１２は、車体フレーム１５に所定角度θの範囲で回転可能に取付けたので、棹部材１２に取付けた作業具１１で、前方のみならず斜め前方にある雪などの固体物を容易に削り取り・掻き集めることができる。本実施例において、θの値は６０°、すなわちハンドルの切れ角は左右３０°に設定する。
この結果、作業性の向上を図ることができる。
【００３２】
なお、車体フレーム１５に対して棹部材１２が回転可能な所定角度の範囲は任意である。すなわち、円筒部５４に開ける長穴の長手方向の幅となる角度θは任意に設定することができる。
【００３３】
図６は動力輪付き作業機の作用図（雪を掻き集める状態）であり、作業者Ｐは、ハンドル１３をにぎり、作業具１１を積もった雪Ｓに向け、スロットルレバー３６及び減速機ユニットのギヤを好みの位置に設定し、駆動源１８を駆動させて作業具１１を前に動かす。
【００３４】
作業機１０の一部を構成する棹部材１２に車体フレーム１５を取付け、この車体フレームに車輪１７を設け、この車輪１７を駆動源１８により駆動することで作業機１０に推進力を加えるので、雪Ｓを削り取り、又は掻き集める力は不要となる。
【００３５】
図７は動力輪付き作業機の作用図（掻き集めた雪を移送する状態）であり、作業具１１に雪Ｓが詰まったところで、スロットルレバー３６を戻し、図Ｆ方向に力を入れ、棹部材１２を略水平にすることを示す。この姿勢で、作業者Ｐは、ハンドルを押す又は引くことにより、雪Ｓが詰まった作業具１１を移送することができる。
【００３６】
すなわち、車輪１７の軸１７ａを中心に作業具１１は傾動可能であり、下端１２ａに取付けた作業具１１の姿勢を、斜め向きから水平向きに変化させることで、作業具１１により削り取り、又は掻き集めた雪Ｓは作業具１１の上に載り、この雪Ｓをハンドル１３を操作することで容易に移送することができる。
【００３７】
本実施例において、対象となる固体物は雪であったが、土砂、肥料、家畜の排泄物のみならず、小麦粉など食品の原料物に適用しても差し支えない。
これとは別に、図想像線で示す雪壁ＳＷを除雪する場合においても本発明の動力輪付き作業機１０が十分活用できる。
すなわち、作業者Ｐは、路面３９に対して棹部材１２が略平行になるように棹部材１２を向け、スロットルレバーを廻し、車輪１７に駆動力を加え、雪壁ＳＷを構成する雪Ｓに向け作業具１１を食い込ませた後、この作業具１１を適度に持ち上げて雪Ｓを載せるという作業により雪壁ＳＷの雪Ｓを除去することができる。
【００３８】
この結果、固体物の削り取り、掘り出し、及び掻き集めなどの除去作業を大幅に軽減することができる。車輪１７を備えるため、掻き集めた固体物の移送も容易である。
軽量・コンパクトな構造をもつ本発明の動力輪付き作業機によって、除去及び移送作業を、楽な姿勢で、早く、簡単に行うことができ、除去及び移送作業に係る負荷を大幅に低減することができる。
【００３９】
図８は図１の８部拡大図であり、棹部材１２の先端部に除雪用の作業具１１を取付けることを示す。この作業具１１はボルト５７とナット５８により着脱可能に構成する。
作業具１１の先端部に多数の突起から構成するギザ山部５９を形成する。そして、ギザ山部５９の裏側にゴム製のスクレーパ２６を複数のリベット６２を介して取付ける。
【００４０】
ギザ山部５９は氷結した積雪を破砕するために設ける部位であり、スクレーパ２６は、ギザ山部５９の間をすり抜けた雪を平滑にするために設ける部材である。
この作業具１１は、鋼やアルミニウムなどの金属製であっても良いし、ポリカーボネートなどの樹脂製であっても良く、対象となる固体物により任意に設定できるものとする。
【００４１】
図９は図８の別実施例図であり、図８の除雪用の作業具１１を堆肥や干し草などの把持に都合の良いフォーク状の作業具６４に交換可能なことを示す。
この他、ドーザー型の作業具に交換しても差し支えない。
この作業具は、鋼やアルミニウムなどの金属製であっても良いし、ポリカーボネートなどの樹脂製であっても良く、対象となる固体物により任意に設定できるものとする。
【００４２】
尚、請求項１では、棹部材の車体フレームへの取付けは、回転可能にしなくても良い。  また、棹部材と作業具との間に介設する緩衝装置は、省略しても良い場合がある。
請求項２では、緩衝部材の介設は任意である。
そして、本発明に係る動力輪付き作業機は、実施の形態では除雪機に適用したが、粒状又は塊状などの固体物一般の除去及び移送に適用することは差し支えない。
【産業上の利用可能性】
【００４３】
本発明は、除雪機に好適である。
【図面の簡単な説明】
【００４４】
【図１】本発明に係る動力輪付き作業機の正面図である。
【図２】本発明に係る動力輪付き作業機の平面図である。
【図３】図１の３矢視図である。
【図４】図１の４部拡大図である。
【図５】図４の５−５線断面図である。
【図６】動力輪付き作業機の作用図（雪を掻き集める状態）である。
【図７】動力輪付き作業機の作用図（掻き集めた雪を移送する状態）である。
【図８】図１の８部拡大図である。
【図９】図８の別実施例図である。
【図１０】従来の技術の基本構成を説明する図である。
【符号の説明】
【００４５】
１０…動力輪付き作業機、１１…作業具、１２…棹部材、１２ｂ…棹部材の下端、１３…ハンドル、１５…車体フレーム、１７…車輪、１８…駆動源、２１…緩衝装置、２３…エンジン。
【図１】
2005299156.tif 000003
【図２】
2005299156.tif 000004
【図３】
2005299156.tif 000005
【図４】
2005299156.tif 000006
【図５】
2005299156.tif 000007
【図６】
2005299156.tif 000008
【図７】
2005299156.tif 000009
【図８】
2005299156.tif 000010
【図９】
2005299156.tif 000011
【図１０】
2005299156.tif 000012